(57)【要約】【課題】遊技球がスルーチャッカを通過することによる遊技上のメリットを増大し、且つ遊技者の期待感や緊張感を増すことにより遊技への興趣を増すことができる遊技機のスルーチャッカを提供する。【解決手段】内部に通過センサを有する遊技球の通過ゲートと、該通過ゲートの下方に設けられた風車体と、該通過ゲートを通過しない遊技球が該風車体に達することを防止する殻体とを有することを特徴とする。【選択図】図２
2007167280.tif 000002
【特許請求の範囲】
【請求項１】
遊技機のスルーチャッカ機構であって、
遊技盤内に打ち出された遊技球が落下する過程において通過する通過ゲートと、
前記通過ゲート内に設けられた遊技球の通過センサと、
前記通過ゲートの下方に設けられた風車体と、
前記通過ゲートを通過しない遊技球が前記風車体に達することを防止する殻体と、を有することを特徴とするスルーチャッカ機構。
【請求項２】
前記殻体の下流端に設けられた振り分け部材を有し、
前記殻体の下方の遊技盤上に設けられた入賞口に高確率で入賞する高確率ルートまたは、前記入賞口に入賞しないはずれルートのいずれかに遊技球を振り分けることを特徴とする請求項１に記載のスルーチャッカ機構。
【請求項３】
前記風車体は、前記殻体の外部の前面に露出する前面板と、
前記前面板の中心部から突出形成された回転軸部と、
前記殻体の内部に設けられ前記回転軸部から放射状に延出する羽根部とからなることを特徴とする請求項１又は２に記載のスルーチャッカ機構。
【請求項４】
前記前面板および前記殻体が透明部材からなることを特徴とする請求項３に記載のスルーチャッカ機構。
【請求項５】
前記風車体が回転駆動手段により回転制御されることを特徴とする請求項１乃至４に記載のスルーチャッカ機構。
【請求項６】
大当たり抽選を行うパチンコ遊技機であって、
遊技盤内に打ち出された遊技球が落下する過程において通過する通過ゲートと、
前記通過ゲート内に設けられた遊技球の通過センサと、
前記通過ゲートの下方に設けられた風車体と、
前記通過ゲートを通過しない遊技球が前記風車体に達することを防止する殻体と、からなるスルーチャッカ機構を含み、
前記通過センサにより遊技球の通過が検出されると、前記大当たり抽選を開始することを特徴とするパチンコ遊技機。
【発明の詳細な説明】
【技術分野】
【０００１】
本発明は、パチンコ機等の弾球遊技機に関し、特に遊技球が通過することにより、大当たり抽選権利を獲得するとともに遊技球の振り分けを行うスルーチャッカ機構に関する。
【背景技術】
【０００２】
様々な遊技形態のパチンコ機が知られている。一般的にセブン機と称されるパチンコ機においては、遊技盤面中央に液晶表示装置が設けられ、その左右両側或いは片側には、スルーチャッカが設けられ、下方には始動チャッカが設けられている。遊技球がスルーチャッカを通過すると、液晶表示装置とは別に設けられている小デジタル表示機による小当り抽選がなされ、当該抽選の結果、当りを示す図柄が表示されると、始動チャッカに設けられているいわゆる電動チューリップと称される可動片が所定時間開放し、遊技球が始動チャッカに入賞する確率が高まる。遊技球が始動チャッカに入賞すると、大当たり抽選が実施され液晶表示装置に表示される図柄が変動を開始し、例えば「７７７」等の所定の図柄で停止すると、大当たりが確定する。また、大当たり図柄のうち、特定図柄（例えば奇数の数字が３つ揃う）で大当たりが確定すると、次回の大当たり確率が通常よりも高くなるいわゆる「確率変動」状態となる。確率変動時においては、小デジタルによる当選確率も高くなり、抽選時間も短縮されるため、電動チューリップが開く頻度も高まり、これに伴って始動チャッカへの入賞確率も高まるのである。また、液晶表示装置による抽選動作中に始動チャッカに入賞した遊技球に係る大当たり抽選の権利は、所定数（例えば４回分）だけメモリに保留され、その保留数は液晶表示装置近傍に設けられているランプの点灯数等により表示される。
【特許文献１】特開２００１−３１００２８号公報
【発明の開示】
【発明が解決しようとする課題】
【０００３】
上記したような種のパチンコ機においては、遊技球がスルーチャッカを通過することにより小デジタル表示機による抽選が実施され、抽選に当選してはじめて始動チャッカに設けられた電動チューリップが開くこととなる。また、確率変動状態以外の通常時において小デジタル表示機による抽選の開始から確定までの抽選時間は、一般的に数十秒程度に設定されている。このため、通常時において電動チューリップは、非常に短く限られた期間しか開放しないこととなり、始動チャッカへの入賞確率は低く、大当たり抽選がなかなか実施されない場合がある。故に、スルーチャッカの入賞は遊技者にとってメリットのある遊技状態を提供するものではなく、遊技者は遊技中にスルーチャッカには殆ど注目することがない。また、従来のスルーチャッカは、単に遊技球を通過せしめる通過口に過ぎず、遊技球の進路に何ら変化を与えるものではなく、遊技者の期待感や緊張感を増すような機構を有するものではなかった。
【０００４】
本発明は上記した点に鑑みてなされたものであり、遊技球がスルーチャッカを通過することによる遊技者にとっての遊技上のメリットを増大せしめ、且つ遊技者の期待感や緊張感を増すことにより遊技の興趣を増すことができる遊技機のスルーチャッカ機構を提供することを目的とする。
【課題を解決するための手段】
【０００５】
本発明による遊技機のスルーチャッカ機構は、遊技盤内に打ち出された遊技球が落下する過程において通過する通過ゲートと、該通過ゲート内に設けられた遊技球の通過センサと、該通過ゲートの下方に設けられた風車体と、該通過ゲートを通過しない遊技球が該風車体に達することを防止する殻体とを有することを特徴とする。
【発明を実施するための形態】
【０００６】
以下、本発明の実施例について添付図面を参照して説明する。尚、以下に説明する実施例は、いわゆるセブン機と称される遊技機であるが、本発明はこれに限定されるものではない。
【０００７】
図１は遊技機の一例としてのパチンコ機１０の概略正面図である。パチンコ機１０は、本体枠１１と、本体枠１１の前面にガラス等の透明窓を含む窓枠（図示せず）が開閉自在に設けられて、遊技者が遊技盤１２を視認できるようにするとともに、遊技盤１２を外部から保護している。遊技盤１２の下方には、遊技盤上に発射されるべき遊技球を一時貯留する上皿１３が設けられている。上皿１３には、賞球払出口（図示せず）が設けられ、ここから賞球として払い出された遊技球が排出される。上皿１３の下方には下皿１４が設けられ、上皿１３で貯留しきれなかった賞球が下皿１４に排出されるようになっている。下皿１４の右側には操作ハンドル１５が取り付けられており、遊技者が、操作ハンドル１５に手を添えて右に回すことにより発射装置（図示せず）が稼動し、上皿１３に貯留された遊技球が、上皿１３の右側に配列されながら発射装置に導かれ１球ずつ発射される。
【０００８】
遊技盤１２のほぼ中央部には図柄表示装置としての液晶表示装置１６が設けられている。液晶表示装置１６は、液晶表示により例えばキャラクタ等の絵を表示したり、数字、記号、模様等を描いた３つのリールが回転、停止しているように見える図柄を表示する。数字や記号は、所定の条件に従って変動して停止する。液晶表示装置１６の下方には始動チャッカ１７が設けられており、ここに遊技球が入賞すると、入賞センサ（図示せず）によって入賞が検出され、所定数の賞球が遊技機より払い出されるとともに、液晶表示装置１６に表示される図柄が変動を開始して大当たり抽選が実施される。液晶表示装置１６の上方には、保留表示機１８が設けられており、液晶表示装置１６による大当たり抽選が実施されている最中に遊技球が始動チャッカ１７又は後述するスルーチャッカ１９に入賞した場合、当該入賞による大当たり抽選の権利が保留され、保留が１つされる毎に保留表示機１８に設けられたランプが１つずつ点灯して保留数を表示する。この保留機構により、例えば４回分の大当たり抽選権利を保留することができる。尚、上記した保留表示機１８の設置位置は適宜変更することが可能であり、また、液晶表示装置１６に保留数を表示させることも可能である。
【０００９】
液晶表示装置１６の左方には、スルーチャッカ１９が設けられている。遊技球がこのスルーチャッカ１９を通過すると、通過センサ１９ｇ（図３参照）により、遊技球が通過したことが検出され、液晶表示装置１６に表示される図柄が変動を開始して大当たり抽選が実施される。すなわち、遊技球がスルーチャッカ１９又は始動チャッカ１７のいずれに入賞しても、大当たり抽選が実施されるのである。尚、スルーチャッカ１９の設置箇所は、液晶表示装置１６の左方に限らず適宜変更することが可能でき、また設置数も１つに限らず複数設けてもよい。
【００１０】
始動チャッカ１７の下方にはアタッカ２０が設けられ、その左右には通常入賞口２１が設けられている。通常入賞口２１に入賞すると、入賞センサ（図示せず）によって検出され、所定数の賞球が払い出される。アタッカ２０は、通常は開閉部材により閉鎖され入賞されないようになっており、大当たり抽選の結果、大当たりが確定した場合に開閉部材が一定期間開き、遊技球が入賞できるようになっている。この期間にアタッカ２０へ入賞した球数に応じて賞球が払い出される。
【００１１】
いずれの入賞口にも入賞しなかった遊技球はアウト口２２に没収される。また、パチンコ機１０には、電飾装置（図示せず）、スピーカ２３が設けられており、遊技の進行に応じて、音や光によって様々な演出を行っている。また、遊技盤１２の裏面には、大当たり抽選、液晶表示装置１６に表示される図柄の制御、各種演出の制御および賞球の制御等を行う主制御装置（図示せず）が設けられている。
【００１２】
以下において、本発明のパチンコ機１０のスルーチャッカ１９について図２〜図４を参照しつつ説明する。図２は、スルーチャッカ１９の正面図である。図３（ａ）は図２におけるＡ−Ａ線断面を矢印方向から見た断面図であり、図３（ｂ）は図２におけるＢ−Ｂ線断面を矢印方向から見た断面図である。図４はスルーチャッカ１９の斜視図である。
【００１３】
通過ゲート１９ａは、その上端面と下端面に遊技球が通過するのに十分な大きさの開口を有するゲート状の入賞口であり、フランジ１９ａ’を備えており、木ねじ等により遊技盤１２に固設される。通過ゲート１９ａの内壁部には、通過センサ１９ｇが設けられ、遊技球が通過ゲート１９ａを通過したことが検出される。通過センサ１９ｇにより遊技球の通過が検出されると、検出信号が遊技機の主制御装置（図示せず）に送信され、主制御装置は、大当たり抽選を開始するとともに、液晶表示装置に表示される図柄を変動および停止させ、大当たり抽選結果を表示させる。また、液晶表示装置１６による大当たり抽選が実施されている最中に遊技球が通過ゲート１９ａに入賞すると、当該入賞による大当たりの抽選権利が保留され、保留表示機１８のランプが１つ点灯する。すなわち、遊技球が通過ゲート１９ａを通過することによって、始動チャッカ１７へ入賞した場合と同じ作用がもたらされるのである。尚、遊技球がスルーチャッカ１９に入賞したときは、賞球を払い出さないこととしてもよい。
【００１４】
通過ゲート１９ａの下方には、殻体１９ｂが設けられている。殻体１９ｂは、プラスチック板やブリキ板などからなり、全体として略筒状であり、その上端面と下端面は開口され、通過ゲート１９ａを通過した遊技球は、殻体１９ｂの内部に導かれる。図４に示す如く、スルーチャッカ１９は殻体１９ｂによって、その側面も覆われているため、殻体１９ｂ内に侵入した遊技球は、側面方向からの他の遊技球の衝突による干渉を受けないようになっている。
【００１５】
また、図３に示す如く、通過ゲート１９ａの下方には、前面板１９ｃ、羽根部１９ｄおよび回転軸部１９ｆからなる風車体が設けられ、羽根部１９ｄは殻体１９ｂによって覆われており、前面板１９ｃは殻体１９ｂの外部の前面に露出している。故にスルーチャッカ１９に入賞しない遊技球は、風車体に到達することができない。前面板１９ｃは、外形が略円形であり、その中心部から突出形成された筒状の回転軸部１９ｆを備え、回転軸部１９ｆには、放射状に延出する３枚の羽根部１９ｄが設けられている。前面板１９ｃと回転軸部１９ｆの内部には、貫通孔が設けられ、風車体はこの貫通孔を貫通する釘１９ｅによって遊技盤１２に回転自在に設置される。殻体１９ｂの前面中央部近傍にも貫通孔が設けられ、当該貫通孔を風車体の回転軸部１９ｆが貫通しており、上記した如く殻体１９ｂの内部に羽根部１９ｄが、殻体１９ｂの外部に前面板１９ｃが配設されている。風車体は、スルーチャッカ１９に入賞した遊技球が羽根部１９ｄに衝突することによって、回転するとともに、遊技球の進路に変化を与え、後述する流路の振り分けを行う。尚、前面板１９ｃの形状は円形に限らず適宜変更することができ、また、前面板１９ｃは回転軸部１９ｆを介して羽根部１９ｄとともに回転するため、任意の模様や図柄等の装飾を施すことにより、羽根部１９ｄの回転の状態をより明確に視認することができ、演出効果も増すことができる。また、前面板１９ｃおよび殻体１９ｂをアクリル樹脂等の透明部材によって形成することによって、殻体１９ｂ内部の羽根部１９ｄを視認できるようにしてもよい。
【００１６】
上記したスルーチャッカ１９を遊技機に設けることにより、遊技者にとっての遊技上のメリットを増大せしめ、さらに遊技者の期待感や緊張感を増すことが可能となる。その態様について以下に説明する。
【００１７】
図５（ａ）は、図１に示す遊技盤面上に設けられた液晶表示装置１６、始動チャッカ１７、およびスルーチャッカ１９を抽出した図である。図５（ａ）に示す如くスルーチャッカ１９の中心線直下の遊技盤面上には障害釘３０ａが植設され、さらに障害釘３０ａ下方から始動チャッカ１７に向けて、ほぼ一直線状に複数の障害釘３０ｂが遊技盤面上に植設されている。スルーチャッカ１９に入賞した遊技球は、その内部に設けられた風車体によって、図５（ａ）に示すルートＡ又はルートＢのいずれかにランダムに振り分けられる。ここで障害釘３０ａは、ルートＡとルートＢを隔て、遊技球をいずれかのルートに確実に振り分けるための補助をなすものである。尚、この障害釘３０ａに変えて殻体１９ｂ内部の中心線上の下流端に遊技盤１２に向かう棒状の振り分け部材を設けることによりルートＡとルートＢとを隔て、遊技球を確実に振り分けることとしてもよい。遊技球はルートＡ側に振り分けられると、障害釘３０ｂ上に落下し、障害釘３０ｂ上を転動して始動チャッカ１７方向に導かれる。従って、ルーとＡは高確率で始動チャッカ１７に入賞する高確率ルートである。一方、遊技球がルートＢ側に振り分けられると、始動チャッカ１７には導かれない。従って、ルートＢははずれルートである。すなわち、スルーチャッカ１９に遊技球が入賞すると、遊技球が通過ゲート１９ａを通過することにより大当たり抽選の権利を獲得し、続いて当該遊技球がルートＡに振り分けられ、始動チャッカ１７に入賞することによりさらに大当たり抽選の権利を獲得することができるのである。つまり、１つの遊技球で２回分の大当たり抽選の権利を獲得することができるため大当たり抽選が実施される頻度が従来よりも増すこととなるのである。尚、上記した障害釘３０ａ、３０ｂの植設方法は一例にすぎず、始動チャッカ１７への入賞確率の設定等に応じ適宜変更することが可能である。
【００１８】
本発明のスルーチャッカ機構による上記した態様により、遊技球がスルーチャッカ１９に入賞することで遊技者にとっての遊技上のメリットがもたらされ、遊技者の興趣を増すことができるのである。またスルーチャッカ１９に風車体を設けることによって、単に遊技球を通過せしめるのではなく、遊技球の進路に変化を与え、遊技球を高確率ルートＡ又ははずれルートＢのいずれかに振り分けるため、遊技者の期待感や緊張感を増すことができるのである。
【００１９】
上記した実施例では障害釘３０ａと３０ｂを遊技盤上の所定箇所に植設することにより、スルーチャッカ１９からルートＡ側に排出された遊技球を始動チャッカ１７に導くようにしたが、この方法に限定されない。図５（ｂ）は、スルーチャッカ１９から排出された遊技球を始動チャッカ１７に導くための他の例を示したものである。スルーチャッカ１９の下方には球通路入口孔４０が設けられ、始動チャッカ１７の鉛直方向上方には球通路出口孔４１が設けられており、これらは遊技盤１２の裏面に設けられた図示しない球誘導通路を介して連通している。ルートＡから排出された遊技球は、球通路入口孔４０に入球し、球誘導通路（図示せず）を経由して球通路出口孔４１から排出される。球通路出口孔４１は、始動チャッカ１７の鉛直方向上方に設置されているため、球通路出口孔４１から落下した遊技球は、高確率で始動チャッカ１７に入賞することとなる。
【００２０】
図６はスルーチャッカ１９に設けられた風車体の改変例である。図６に示す如く、風車体の回転軸部１９ｆは、回転駆動手段としてのモータ５０に接続されており、モータ５０はモータ駆動回路５１の駆動信号に基づいて回転駆動する。すなわち、風車体はモータ５０およびモータ駆動回路５１により回転制御されている。上記した風車体の構成において、例えば遊技状態がいわゆる確率変動状態等の特定遊技状態に移行したときに、遊技機の主制御装置（図示せず）は、モータ駆動回路５１に向けて制御信号を送信し、これを受信したモータ駆動回路５１は、当該制御信号に基づき駆動信号を生成し、モータ５０にこれを供給する。モータ５０は当該駆動信号に基づき、例えば所定回転速度で、遊技者から見て時計回りに回転駆動を始める。モータのトルクは、遊技球の羽根部１９ｄへの衝突によってその回転方向や回転速度が変化しないように設定されている。故にスルーチャッカ１９に入賞した遊技球は、その殆どが図５(ａ)又は図５（ｂ）に示す高確率ルートＡに導かれ、よって始動チャッカ１７に高確率で入賞することとなる。すなわち、特定遊技状態に移行したときは、スルーチャッカ１９に入賞した遊技球の殆どが、始動チャッカ１７に入賞することとなり、これに伴って始動チャッカ１７への入賞による賞球も頻繁に払い出されることとなる。従って、特定遊技状態においては、大当たり抽選が実施される頻度が飛躍的に増加し、且つ持ち球の消費を抑えることもできるため、遊技者にとって非常にメリットのある遊技状態がもたらされ、よって遊技者の興味を惹きつけることができるのである。
【００２１】
さらに図７は、本発明のスルーチャッカの別の実施例である。図７に示す如く、通過ゲート１９ａの下方には円形の回転体６０が遊技盤上に設けられており、図示しないモータにより一定速度で遊技者から見て時計回りに回転している。回転体６０の周縁部には遊技球を取り入れることができる直線状の溝からなる直線凹部６０ａと、屈曲した溝からなる屈曲凹部６０ｂが設けられている。回転体の外周部には、枠部材６１が設けられ、回転体６０の上方すなわち、通過ゲート１９ａの直下には、球導入部が形成されるとともに、下方の左右両側には球落下部が形成されている。通過ゲート１９ａに入賞した遊技球は、直線凹部６０ａ又は屈曲凹部６０ｂのいずれかに入球する。遊技球は、回転移動する直線凹部６０ａ又は屈曲凹部６０ｂが枠部材６１によって形成される球導入部に対応する位置に至った時に入球するため、遊技球がどちらの凹部に入球するかは、遊技球の通過ゲート１９ａへの入賞タイミングに委ねられている。図７（ａ）は、通過ゲート１９ａを通過した遊技球が、直線凹部６０ａに入球した状態を示している。直線凹部６０ａに入球した遊技球は、図７（ｂ）に示す如く、回転体６０の回転動作によって回転方向に導かれ、自重によって下方右側に設けられた落下部より落下する。その後上記した図５（ａ）又は図５（ｂ）に示す機構により遊技球は、始動チャッカ１７に高確率で入賞することができるため、下方右側の落下部は高確率ルートとなる。一方、図７（ｃ）は、通過ゲート１９ａを通過した遊技球が、屈曲凹部６０ｂに入球した状態を示している。屈曲凹部６０ｂに入球した遊技球は、回転体６０の回転動作によって回転方向に導かれる。図７（ｄ）は、屈曲凹部６０ｂが下方右側に設けられた落下部に対応する位置に至った状態を示しており、この位置においては屈曲凹部６０ｂの溝形状が屈曲しているため、遊技球はこの位置からは落下しない。図７（ｅ）は、屈曲凹部６０ｂが下方左側に設けられた落下部に対応する位置に至った状態を示しており、遊技球は自重によってこの落下部から落下する。その後遊技球は、上記した如く始動チャッカ１７には導かれないため、下方左側の落下部ははずれルートとなる。すなわち、通過ゲート１９ａを通過した遊技球は、回転体６０と回転体６０に設けられた２つの凹部６０ａと６０ｂにより、高確率ルート又ははずれルートのいずれかに振り分けられるため、遊技者の期待感や緊張感を増すことができるのである。
【００２２】
以上の説明から明らかなように本発明のスルーチャッカ機構は、遊技球が通過ゲート１９ａを通過することを契機として、大当たり抽選の権利を獲得することができる。また、通過ゲート１９ａを通過した遊技球は、その下方に設けられた殻体１９ｂの内部に導かれ、殻体１９ｂによって他の遊技球との衝突による干渉を防止することができる。更に単に遊技球を通過せしめるのではなく、殻体１９ｂの内部には風車体が設けられ、スルーチャッカ機構に入賞した遊技球の進路に変化を与えるとともに遊技球を始動チャッカ１７に導く高確率ルート又ははずれルートのいずれかに振り分けるため、遊技者の期待感や緊張感を増すことができるのである。さらに高確率ルートに振り分けられた遊技球は、高確率で始動チャッカ１７に入賞することができるため、１つの遊技球で２回分の大当たり抽選の権利を獲得することができる。従って遊技者にとっての遊技上のメリットを増大せしめ、遊技者の興趣を増すことができるのである。
【図面の簡単な説明】
【００２３】
【図１】本発明の実施例であるスルーチャッカ機構を備えたパチンコ機の概略正面図である。
【図２】本発明の実施例であるスルーチャッカ機構の正面図である。
【図３】（ａ）は図１におけるＡ−Ａ線断面図である。（ｂ）は図１におけるＢ−Ｂ線断面図である。
【図４】本発明の実施例であるスルーチャッカ機構の斜視図である。
【図５】本発明の実施例であるスルーチャッカ機構から排出された遊技球を始動チャッカに導く方法の一例を示す図である。
【図６】本発明の実施例であるスルーチャッカ機構の一部をなす風車体の改変例を示す図である。
【図７】本発明のスルーチャッカ機構の別の実施例を示す図である。
【符号の説明】
【００２４】
１６  液晶表示装置
１７  始動チャッカ
１９  スルーチャッカ
１９ａ  通過ゲート
１９ｂ  殻体
１９ｃ  前面板
１９ｄ  羽根部
１９ｅ  釘
１９ｆ  回転軸部
１９ｇ  通過センサ
３０ａ  障害釘
３０ｂ  障害釘
４０  球通路入口孔
４１  球通路出口孔
５０  モータ
５１  モータ駆動回路
６０  回転体
６０ａ  直線凹部
６０ｂ  屈曲凹部
６１  枠部材
【図１】
2007167280.tif 000003
【図２】
2007167280.tif 000004
【図３】
2007167280.tif 000005
【図４】
2007167280.tif 000006
【図５】
2007167280.tif 000007
【図６】
2007167280.tif 000008
【図７】
2007167280.tif 000009